(57)【要約】【課題】簡易な構造で安全柵を安定して支持でき、かつ使用現場が限定されない汎用性に富む保守点検用安全柵装置を提供する。【解決手段】柵板２に支柱３を取り付けてなる安全柵１と、支柱３の下端部の圧入が可能な嵌合穴８を有する支持盤７とを具備する。支柱３の下端部を支持盤７の嵌合穴８内に嵌合してその支持盤７により安全柵１を床面上に起立させる。支持盤７はゴムなどの摩擦係数の大きな材料で形成する。【選択図】      図１
2008174353.tif 000002
【特許請求の範囲】
【請求項１】
柵板に支柱を取り付けてなる安全柵と、
前記支柱の下端部の圧入が可能な嵌合穴を有する支持盤とを具備し、
前記支柱の下端部を前記支持盤の嵌合穴内に嵌合してその支持盤により前記安全柵を床面上に起立させることを特徴とする保守点検用安全柵装置。
【請求項２】
柵板に支柱を取り付けてなる複数の安全柵と、
前記支柱の下端部の圧入が可能な嵌合穴を有する支持盤とを具備し、
前記支柱の下端部を前記支持盤の嵌合穴内に嵌合してその支持盤により前記複数の安全柵を床面上に互いに隣接して並ぶように起立させることを特徴とする保守点検用安全柵装置。
【請求項３】
前記支持盤はゴムなどの摩擦係数の大きな材料で形成されていることを特徴とする請求項１又は２に記載の保守点検用安全柵装置。
【発明の詳細な説明】
【技術分野】
【０００１】
この発明は、エスカレータやエレベータなどの昇降機の保守点検時に使用する安全柵装置に関する。
【背景技術】
【０００２】
エスカレータにはその乗降口の床部に機械室が設けられ、この機械室の開口部に乗込板を兼ねるマンホールカバーが設けられ、保守点検時にこのマンホールカバーを取り外して機械室内に入り込んで保守点検の作業を行なう。そしてこの保守点検時には、機械室の開口部周辺に衝立式の安全柵を設置し、保守点検の作業現場にエスカレータ周辺の一般通行人が立ち入らないようにしている。
【０００３】
従来一般の安全柵は、単なる衝立式の軽量な構造であり、このため突風を受けたり一般通行人が接触したりしたような場合に容易に転倒してしまう難点がある。
【０００４】
そこで、特開平８−３３７３８３号公報（特許文献１）では、エスカレータの機械室を開閉するマンホールカバーの裏面に安全柵を保持することが可能な保持手段を設け、保守点検時に機械室からマンホールカバーを取り外した際にそのマンホールカバーを反転して床面の上に配置し、そのマンホールカバーの保持手段に安全柵を係合させて支持するようにした技術が提案されている。
【特許文献１】特開平８−３３７３８３号公報
【発明の開示】
【発明が解決しようとする課題】
【０００５】
しかしながら、特許文献１のものでは、安全柵を安定して支持できるものの、高重量のマンホールカバーを利用するため、その高重量のマンホールカバーを所要位置に設置する作業が面倒で労力を要し、また作業の途中に安全柵の位置を変えたいような場合にも、いちいちその高重量のマンホールカバーを移動させなければならない。
【０００６】
この種の安全柵は、エスカレータの保守点検時に使用する場合に限らず、エレベータなどの昇降機の保守点検時にも使用される。
【０００７】
ところが、特許文献１の安全柵ではエスカレータのマンホールカバーとの組み合わせて使用するものであり、このためエレベータなどの保守点検時には使用することができず、汎用性に欠ける。また、エスカレータの場合であっても、予めマンホールカバーの裏面に保持手段が設けられていなければ、使用することができない。
【０００８】
この発明はこのような点に着目してなされたもので、その目的とするところは、簡易な構造で安全柵を安定して支持でき、かつ使用現場が限定されない汎用性に富む保守点検用安全柵装置を提供することにある。
【課題を解決するための手段】
【０００９】
請求項１の発明は、柵板に支柱を取り付けてなる安全柵と、前記支柱の下端部の圧入が可能な嵌合穴を有する支持盤とを具備し、前記支柱の下端部を前記支持盤の嵌合穴内に嵌合してその支持盤により前記安全柵を床面上に起立させることを特徴としている。
【００１０】
請求項２の発明は、柵板に支柱を取り付けてなる複数の安全柵と、前記支柱の下端部の圧入が可能な嵌合穴を有する支持盤とを具備し、前記支柱の下端部を前記支持盤の嵌合穴内に嵌合してその支持盤により前記複数の安全柵を床面上に互いに隣接して並ぶように起立させることを特徴としている。
【００１１】
請求項３の発明は、前記支持盤がゴムなどの摩擦係数の大きな材料で形成されていることを特徴としている。
【発明の効果】
【００１２】
この発明によれば、簡易な構造で安全柵を安定して支持でき、またその使用現場が限定されず、使用上の汎用性が高まる。
【発明を実施するための最良の形態】
【００１３】
以下、この発明の実施形態について図面を参照して説明する。
【００１４】
図１には第１の実施形態に係る安全柵装置を示してある。保守点検の作業時に使用する安全柵１は、左右に長い柵板２を有し、この柵板２の表面に点検作業中であることを知らせる『点検中』の表示が施されている。柵板２の両側縁には一対の支柱３が取り付けられている。これら支柱３は互いに並列して柵板２の両側縁からその下方に延び、これら支柱３を介して柵板２が支持されるようになっている。
【００１５】
また、柵板２の背面側には一対の補助柱４が設けられている。これら補助柱４は、支柱３の上端部に連結され、支柱３に対して傾斜するように取り付けられている。支柱３と補助柱４との中間部間には補強桟５が水平に架設されている。支柱３および補助柱４は例えば断面四角形の金属パイプからなる。
【００１６】
この安全柵装置は、安全柵１の各支柱３に対応する支持盤７を備えている。これら支持盤７はゴムなどの摩擦係数の大きな材料により、例えば１５ｃｍ四方で、厚さが５ｃｍ程度の四角形の板状に形成されている。そして、これら支持盤７の中央部には、図２に示すように前記支柱３の圧入が可能な断面四角形の嵌合穴８が垂直に形成されている。この嵌合穴８は、支持盤７の上面に開口を有する非貫通の有底状の穴となっている。
【００１７】
安全柵１を設置する際には、各支柱３の下端部を支持盤７の嵌合穴８内に圧入して各支柱３に支持盤７を取り付ける。そして各支持盤７を床面の上に設置して安全柵１を起立させ、補助柱４の下端を床面に当接させる。
【００１８】
このような安全柵装置によれば、安全柵１の支柱３の下端部が一定の厚さおよび広がりを有する支持盤７で支持されるため、安定した起立状態を保て、不用意な転倒を防止することができる。また、各支持盤７はゴムなどの摩擦係数の大きな材料で形成されているため、床面に密着して滑りにくく、このため安全柵１を定位置に安定して支持することができる。
【００１９】
そして安全柵１を支持盤７で支持する構造であるため、エスカレータの作業現場に設置する場合に限らず、エレベータや他の保守点検現場にでも制約を受けることなく設置でき、その使用の汎用性に富み、便利に使用することができる。
【００２０】
なお、安全柵１の支柱３をその前側に斜めに傾斜させるようにしてもよい。この場合には、図３に示すように、支持盤７に設ける嵌合穴８も支柱３と同じ角度で傾斜させる。そして支柱３をその斜めの嵌合穴８内に圧入して安全柵１を床面の上に設置する。この場合には、柵板２を支持する支柱３及び補助柱４が共に傾斜するため安全柵１をより安定して床面の上に設置することができる。
【００２１】
図４には第２の実施形態を示してある。この実施形態においては、複数の安全柵１０ａ，１０ｂ，１０ｃ，１０ｄを左右に並べて作業区域と通行区域とを隔てる構成となっている。各安全柵１０ａ，１０ｂ，１０ｃ，１０ｄは、それぞれ左右に長い柵板１２を有し、これら柵板１２の両側縁に一対の支柱１３ａ，１３ｂが取り付けられている。これら支柱１３ａ，１３ｂは互いに並列して柵板１２の両側縁からその下方に向けてほぼ垂直に延び、これら支柱１３ａ，１３ｂを介して柵板１２が支持されるようになっている。
【００２２】
この実施形態においては、図５に示す二種の第１の支持盤１６と第２の支持盤１７が用意されている。第１及び第２の支持盤１６，１７は、それぞれゴムなどの摩擦係数の大きな材料により例えば１５ｃｍ四方で、厚さが５ｃｍ程度の四角形の板状に形成されている。そして、第１の支持盤１６には、その中央部に前記支柱１３ａ，１３ｂの圧入が可能な断面四角形の嵌合穴１９が垂直に形成されている。第２の支持盤１７には、その中央部に前記支柱１３ａ，１３ｂの圧入が可能な断面四角形の一対の嵌合穴２０ａ，２０ｂが並列して形成されている。前記各嵌合穴１９，２０ａ，２０ｂは支持盤１６，１７の上面に開口を有する非貫通の有底状の穴となっている。
【００２３】
安全柵１０ａ，１０ｂ，１０ｃ，１０ｃを設置する際には、第１の支持盤１６を２つ、第２の支持盤１７を１つ用意する。そして、安全柵１０ａの一方の支柱１３ａの下端部を１つ目の第１の支持盤１６の嵌合穴１９内に圧入し、安全柵１０ｂの一方の支柱１３ｂを第２の支持盤１７の一方の嵌合穴２０ａ内に圧入し、安全柵１０ｃの一方の支柱１３ａを第２の支持盤１７の他方の嵌合穴２０ｂ内に圧入し、安全柵１０ｄの一方の支柱１３ｂを２つ目の第１の支持盤１６の嵌合穴１９内に圧入し、これら３つの支持盤１６，１７で各安全柵１０ａ，１０ｂ，１０ｃ，１０ｃを床面の上にこれらが互いに隣接して並ぶように設置する。
【００２４】
このような安全柵装置においても、安全柵１０ａ，１０ｂ，１０ｃ，１０ｃのそれぞれ一方の支柱１３ａ，１３ｂの下端部が一定の厚さおよび広がりを有する支持盤１６，１７で支持されるため、安定した起立状態を保て、不用意な転倒を防止することができる。
【００２５】
なお、図４に示す実施形態では、安全柵を４つ並べて設置するようにしたが、それ以上や以下の数の安全柵を用いる場合であってもよい。また、各安全柵の片側の支柱のみを支持盤で支持する場合に限らず、各安全柵の双方の支柱をそれぞれ支持盤で支持するような場合であってもよい。
【図面の簡単な説明】
【００２６】
【図１】この発明の第１の実施形態に係る安全柵装置を示す斜視図。
【図２】その安全柵装置の支持盤を示す斜視図。
【図３】その支持盤の変形例を示す斜視図。
【図４】この発明の第２の実施形態に係る安全柵装置を示す斜視図。
【図５】その安全柵装置の支持盤を示す斜視図。
【符号の説明】
【００２７】
１…安全柵
２…柵板
３…支柱
４…補助柱
５…補強桟
７…支持盤
８…嵌合穴
１０ａ〜１０ｄ…安全柵
１２…柵板
１３ａ．１３ｂ…支柱
１６．１７…支持盤
１９…嵌合穴
２０ａ．２０ｂ…嵌合穴
【図１】
2008174353.tif 000003
【図２】
2008174353.tif 000004
【図３】
2008174353.tif 000005
【図４】
2008174353.tif 000006
【図５】
2008174353.tif 000007